(57)【特許請求の範囲】
【請求項１】
流入管から送られてきた汚水を流入渠の流入ゲートの遮断により、第一水路及び第二水路への汚水の流下を遮断し、前記第二水路側にバイパス管の接続及び組立式水槽の設置を行い、前記第二水路側にのみ汚水を流して前記第一水路側の増厚作業を行う作業ステージ１と、前記第一水路の増厚作業完了後、前記第二水路にバイパス管を設置した状態で第一水路側にバイパス管の接続及び組立式水槽の設置を行い、第二水路側の流入ゲートを遮断して第二水路側のバイパス管及び組立式水槽を撤去し、前記第一水路側にのみ汚水を流して前記第二水路の増厚作業を行う作業ステージ２と、前記第二水路の増厚作業完了後、前記第一水路側の流入ゲートの遮断により、前記第一水路側の汚水の流下を遮断し、第一水路側のバイパス管及び組立式水槽を撤去する作業ステージ３とからなることを特徴とする仮設汚水中継ポンプ場井工法。
【発明の詳細な説明】
【技術分野】
【０００１】
本発明は、汚水中継ポンプ場の地下に埋設されたコンクリート壁を耐震補強のために増厚する仮設汚水中継ポンプ場井工法に関するものである。
【背景技術】
【０００２】
従来、各家庭や商店等から送られてくる汚水は、地下に埋設された下水管を介して勾配により自然流下するようになっている。
しかし、地域によっては自然流下させることが困難な場合があり、この場合には地下に中継ポンプ場を設置して揚水し、勾配を利用して自然流下させるようにしている。
このような中継ポンプ場は、管渠と流入水路の間に流入ゲートによって開閉される流入渠が設けられ、前記流入ゲートの開成状態で管渠から流入渠に流下してきた汚水を流入水路から吸水槽に導入して、前記吸水槽に設置されているポンプによって吸い上げるように構成されている（特許文献１を参照）。
ところで、近年は地震が多発し、建物の耐震強化が叫ばれており、中継ポンプ場も例外ではなく耐震強化のため、コンクリート壁の増厚が望まれている、しかし、中継ポンプ場は地下に埋設されているため、その増厚工法が今まで存在しなかった。
【先行技術文献】
【特許文献】
【０００３】
【特許文献１】特開平９−１９５３７１号公報（図２を参照）
【発明の概要】
【発明が解決しようとする課題】
【０００４】
本発明は、汚水中継ポンプ場の地下に埋設されたコンクリート壁を耐震補強のために増厚する仮設汚水中継ポンプ場井工法を提供することを目的とする。
【課題を解決するための手段】
【０００５】
本発明の仮設汚水中継ポンプ場井工法は、流入管から送られてきた汚水を流入渠の流入ゲートの遮断により、第一水路及び第二水路への汚水の流下を遮断し、前記第二水路側にバイパス管の接続及び組立式水槽の設置を行い、前記第二水路側にのみ汚水を流して前記第一水路側の増厚作業を行う作業ステージ１と、前記第一水路の増厚作業完了後、前記第二水路にバイパス管を設置した状態で第一水路側にバイパス管の接続及び組立式水槽の設置を行い、第二水路側の流入ゲートを遮断して第二水路側のバイパス管及び組立式水槽を撤去し、前記第一水路側にのみ汚水を流して前記第二水路の増厚作業を行う作業ステージ２と、前記第二水路の増厚作業完了後、前記第一水路側の流入ゲートの遮断により、前記第一水路側の汚水の流下を遮断し、第一水路側のバイパス管及び組立式水槽を撤去する作業ステージ３とからなる。
【発明の効果】
【０００６】
本発明の仮設汚水中継ポンプ場井工法は、吸水槽にバイパス管及び組立式水槽を設置することにより汚水の流れを止めることなく、汚水中継ポンプ場の第一水路及び第二水路のコンクリート壁の増厚作業を行うことができる。
【図面の簡単な説明】
【０００７】
【図１】本発明の汚水中継ポンプ場の要部縦断面図である。
【図２】本発明の汚水中継ポンプ場の組立式水槽１個の要部平断面図である。
【図３】本発明の汚水中継ポンプ場の組立式水槽２個の要部平断面図である。
【図４】プラグの（ａ）正面図、（ｂ）側面図の説明図である。
【図５】バイパス管の説明図である。
【図６】底面パネルの（ａ）平面図、（ｂ）正面図、（ｃ）側面図の説明図である。
【図７】側面基本パネルの（ａ）平面図、（ｂ）正面図、（ｃ）側面図の説明図である。
【図８】既設ポンプ配管接続用パネルの説明図である。
【図９】バイパス管接続用パネルの説明図である。
【図１０】水槽下部用開口部付パネルの説明図である。
【発明を実施するための形態】
【０００８】
本発明の仮設汚水中継ポンプ場井工法の一実施例を添付図面に基づいて、以下に説明する。
図１の要部縦断面図及び図２の要部平断面図に示すように、汚水中継ポンプ場は、流入管１と２列並列の流入水路２との間に流入ゲート３によって開閉される流入渠４が設けられ、前記流入ゲート３の開成状態で前記流入管１から前記流入渠４に流下してきた汚水を前記各流入水路２から流出ゲート５を介して吸水槽６に導入して、前記吸水槽６から汚水ポンプ７によって吸い上げるように構成されている。
また、前記流入水路２には、その上流側から粗目スクリーン８、し渣破砕機９を直列に配置した構造となっている。
なお、前記流入水路２と並列にバイパス水路１０が設けられており、前記流入渠４側にはバイパスゲート１１を設けている。なお、番号１２は水槽、１３は砂留、１４は水槽、１５は圧力水ポンプ、２６はポンプ井攪拌機である。
【０００９】
次に、本発明の仮設汚水中継ポンプ場井工法の作業手順を添付図面に基づいて、以下に説明する。
図２及び図３における２列並列の流入水路２を説明の都合上、図２の上側の流入水路２を第一水路１６とし、下側の流入水路２を第二水路１７とする。
【００１０】
＜作業ステージ１＞
図２に示すように、流入管１から送られてきた汚水を流入渠４の流入ゲート３の遮断により、第一水路１６及び第二水路１７への汚水の流下を遮断し、前記第二水路１７側にバイパス管１８の接続及び組立式水槽１９の設置を行う。
前記バイパス管１８の接続は、前記流出ゲート５に図４（ａ）正面図、（ｂ）側面図に示すプラグ２０を固定し、該プラグ２０に図５に示すバイパス管１８を接続する。
前記組立式水槽１９の設置は、前記吸水槽６の前記第二水路１７側に、図６（ａ）平面図、（ｂ）正面図、（ｃ）側面図に示す底面パネル２１、図７（ａ）平面図、（ｂ）正面図、（ｃ）側面図に示す側面基本パネル２２、図８に示す既設ポンプ配管接続用パネル２３、図９に示すバイパス管接続用パネル２４、図１０に示す水槽下部用開口部付パネル２５により直方体に組み立てられる。
必要に応じて、前記組立式水槽１９内に水位計・ポンプ運転のためのフロート等を設置し、自動運転が可能な状態とする。
前記第二水路１７側のみ流入ゲート３を開放し、汚水を第二水路１７に流してバイパス管１８から組立式水槽１９へ貯水させ、汚水ポンプ７の駆動により前記組立式水槽１９から汚水を吸い上げる試運転を行う。
そして、前記第二水路１７側にのみ汚水を流して、前記第一水路１６側の増厚作業を行う。
なお、問題が生じた場合には、前記第二水路１７の流入ゲート３を閉じ、第一水路１６側から汚水を流下させ、図２上で上側の２台の汚水ポンプ７により運転を行い、不具合を改善する。
【００１１】
＜作業ステージ２＞
図３に示すように、前記第一水路１６の増厚作業完了後、第二水路１７にバイパス管１８を設置した状態で第一水路１６側にバイパス管１８の接続及び組立式水槽１９の設置を行う。第一水路１６は遮断されており、第二水路１７は汚水が流通しているため、汚水の流通を妨げることなく作業可能である。
前述と同様に、前記バイパス管１８の接続は、前記流出ゲート５に図４（ａ）正面図、（ｂ）側面図に示すプラグ２０を固定し、該プラグ２０に図５に示すバイパス管１８を接続する。前記組立式水槽１９の設置は、前記吸水槽６の前記第二水路１７側に、図６（ａ）平面図、（ｂ）正面図、（ｃ）側面図に示す底面パネル２１、図７（ａ）平面図、（ｂ）正面図、（ｃ）側面図に示す側面基本パネル２２、図８に示す既設ポンプ配管接続用パネル２３、図９に示すバイパス管接続用パネル２４、図１０に示す水槽下部用開口部付パネル２５を組み立てて直方体水槽に形成する。
前記バイパス管１８の接続及び組立式水槽１９の設置完了後、前記第一水路１６側のみ流入ゲート３を開放し、汚水を第一水路１６側に流してバイパス管１８を通して組立式水槽１９へ貯水させ、汚水ポンプ７の駆動により前記組立式水槽１９から汚水を吸い上げる試運転を行う。そして、問題がなければ第二水路１７側の流入ゲート３を遮断して第二水路１７側のバイパス管１８及び組立式水槽１９を撤去する。
そして、前記第一水路１６側にのみ汚水を流して、前記第二水路１７の増厚作業を行う。
【００１２】
＜作業ステージ３＞
増厚完了後、前記第一水路１６側の流入ゲート３の遮断により、前記第一水路１６側の汚水の流下を遮断し、第一水路１６側のバイパス管１８及び組立式水槽１９を撤去する。
そして、前記第一水路１６及び第二水路１７の流入ゲート３の開放により、通常運転状態の中継ポンプ運転作業が行われる
【符号の説明】
【００１３】
１  流入管
２  流入水路
３  流入ゲート
４  流入渠
５  流出ゲート
６  吸水槽
７  汚水ポンプ
８  粗目スクリーン
９  し渣破砕機
１０  バイパス水路
１１  バイパスゲート
１２  水槽
１３  砂留
１４  水槽
１５  圧力水ポンプ
１６  第一水路
１７  第二水路
１８  バイパス管
１９  組立式水槽
２０  プラグ
２１  底面パネル
２２  側面基本パネル
２３  既設ポンプ配管接続用パネル
２４  バイパス管接続用パネル
２５  水槽下部用開口部付パネル
２６  ポンプ井攪拌機
【図１】
0005981775.tif 000002
【図２】
0005981775.tif 000003
【図３】
0005981775.tif 000004
【図４】
0005981775.tif 000005
【図５】
0005981775.tif 000006
【図６】
0005981775.tif 000007
【図７】
0005981775.tif 000008
【図８】
0005981775.tif 000009
【図９】
0005981775.tif 000010
【図１０】
0005981775.tif 000011